(57)【要約】  薬剤構成情報を同期するための方法およびシステム。一次薬剤構成コンピュータが、薬剤構成コンテンツソースから薬剤構成コンテンツを受け取るように構成される。また、一次薬剤構成コンピュータは、薬剤構成変更情報を生成して、この薬剤構成変更情報を、一次薬剤構成コンピュータから薬剤構成変更情報を受信するように構成された副次薬剤構成コンピュータに伝送するようにも構成される。また、副次薬剤構成コンピュータは、選別規則を適用することによってこの薬剤構成変更情報を選別して、選別された薬剤構成変更情報を生成するようにも構成される。副次薬剤構成コンピュータは、選別された薬剤構成変更情報をリポジトリの中に格納し、この選別された薬剤構成変更情報の少なくとも一部分を管理クライアントコンピュータに伝送するようにさらに構成される。
2011504265.tif 000002
【特許請求の範囲】
【請求項１】
一次薬剤構成コンピュータと副次薬剤構成コンピュータの間で薬剤構成情報を同期する方法であって、
副次薬剤構成コンピュータにおいて一次薬剤構成コンピュータから、薬剤構成コンテンツソースから薬剤構成コンテンツを受信したことに応答して一次薬剤構成コンピュータによって生成された薬剤構成変更情報を受信することを可能にするステップと、
選別規則を適用することによって薬剤構成変更情報を選別して、選別された薬剤構成変更情報を生成することを可能にするステップと、
選別された薬剤構成変更情報をリポジトリの中に格納することを可能にするステップと、
選別された薬剤構成変更情報の少なくとも一部分を管理クライアントコンピュータに伝送することを可能にするステップとを含む、方法。
【請求項２】
薬剤構成情報は、処方薬剤情報である、請求項１に記載の方法。
【請求項３】
薬剤コンテンツソースが、処方薬剤情報コンテンツプロバイダである、請求項１に記載の方法。
【請求項４】
処方薬剤情報コンテンツプロバイダが、製薬会社である、請求項３に記載の方法。
【請求項５】
一次薬剤構成コンピュータが、薬剤処方コンピュータを備える中央医療機関コンピュータである、請求項１に記載の方法。
【請求項６】
副次薬剤構成コンピュータが、薬剤構成変更情報に選別規則を適用するステップを実行する、請求項１に記載の方法。
【請求項７】
副次薬剤構成コンピュータから選別規則を入力する要求を伝送することを可能にするステップと、
副次薬剤構成コンピュータにおいて選別規則を受信することを可能にするステップとをさらに含む、請求項１に記載の方法。
【請求項８】
副次薬剤構成コンピュータにおいて選別規則を受け取るための選別規則インタフェーススクリーンを生成することを可能にするステップをさらに含む、請求項１に記載の方法。
【請求項９】
管理クライアントコンピュータから副次薬剤構成コンピュータにおいて、選別された薬剤構成変更情報の一部分についての実施決定を受信することを可能にするステップをさらに含む、請求項１に記載の方法。
【請求項１０】
実施決定が、選別された薬剤構成変更情報の一部分を受け入れて、受け入れられた、選別された薬剤構成変更情報を確立することを含む、請求項９に記載の方法。
【請求項１１】
副次システム処方データベースと副次臨床情報システムデータベースの少なくとも１つに、受け入れられた、選別された薬剤構成変更情報を伝送することを可能にするステップと、
副次システム処方データベースと副次臨床情報システムデータベースの少なくとも１つに、受け入れられた、選別された薬剤構成変更情報を組み込むことを可能にするステップとをさらに含む、請求項１０に記載の方法。
【請求項１２】
薬剤構成情報が、処方薬剤情報を含む、請求項１に記載の方法。
【請求項１３】
処方薬剤情報が、一般名、ブランド名、外部識別子、強さの量、強さの単位、ボリューム量、ボリューム単位、剤形コード、および剤形説明から成るグループから選択される、請求項１２に記載の方法。
【請求項１４】
薬剤構成情報が、一般名、ブランド名、規則セットタイプ、濃度、投薬単位、ハード下限、ソフト下限、ソフト上限、およびハード上限から成るグループから選択される、請求項１に記載の方法。
【請求項１５】
選別規則が、剤形および薬剤識別子から成るグループから選択される、請求項１に記載の方法。
【請求項１６】
薬剤構成情報を同期するためのシステムであって、
薬剤構成コンテンツソースから薬剤構成コンテンツを受信するように構成され、薬剤構成変更情報を生成するように構成され、さらに薬剤構成変更情報を伝送するように構成された一次薬剤構成コンピュータと、
一次薬剤構成コンピュータから薬剤構成変更情報を受信するように構成され、さらに選別規則を適用することによって薬剤構成変更情報を選別して、選別された薬剤構成変更情報を生成するように構成され、選別された薬剤構成変更情報をリポジトリの中に格納し、選別された薬剤構成変更情報の少なくとも一部分を管理クライアントコンピュータに伝送するようにさらに構成された副次薬剤構成コンピュータとを備える、システム。
【請求項１７】
薬剤構成情報を同期するためのシステムであって、
処方薬剤情報を備える薬剤構成コンテンツを受信するように構成された、薬剤構成変更情報を生成し、さらに薬剤構成変更情報を伝送するように構成された薬局アプリケーションを備える一次薬剤構成コンピュータと、
一次薬剤構成コンピュータから薬剤構成変更情報を受信するように構成されたインタフェースアプリケーションを備え、選別規則を適用することによって薬剤構成変更情報を選別して、選別された薬剤構成変更情報を生成するように構成された選別アプリケーションをさらに備え、選別された薬剤構成変更情報をリポジトリの中に格納するようにさらに構成され、リポジトリの中に格納された、選別された薬剤構成変更情報を管理するように構成されたリポジトリ管理アプリケーションをさらに備え、リポジトリ管理アプリケーションが、選別された薬剤構成変更情報についての実施決定を受信するために、管理クライアントコンピュータに、選別された薬剤構成変更情報の少なくとも一部分を伝送するように構成された、副次薬剤構成コンピュータとを備える、システム。
【請求項１８】
一次薬剤構成コンピュータと副次薬剤構成コンピュータの間で薬剤構成情報を同期するためのコンピュータプログラム製品であって、
副次薬剤構成コンピュータにおいて一次薬剤構成コンピュータから、薬剤構成コンテンツソースから薬剤構成コンテンツを受信したことに応答して一次薬剤構成コンピュータによって生成された薬剤構成変更情報を受信するための第１のコードセグメントと、
選別規則を適用することによって薬剤構成変更情報を選別して、選別された薬剤構成変更情報を生成するための第２のコードセグメントと、
選別された薬剤構成変更情報をリポジトリの中に格納するための第３のコードセグメントと、
選別された薬剤構成変更情報の少なくとも一部分を管理クライアントコンピュータに伝送するための第５のコードセグメントとを含む、コンピュータプログラム製品。
【請求項１９】
副次薬剤構成コンピュータから選別規則を入力する要求を伝送するための第６のコードセグメントと、
副次薬剤構成コンピュータにおいて選別規則を受信するための第７のコードセグメントとをさらに含む、請求項１８に記載のコンピュータプログラム製品。
【請求項２０】
副次薬剤構成コンピュータにおいて選別規則を受け取るための選別規則インタフェーススクリーンを生成するための第６のコードセグメントをさらに含む、請求項１８に記載のコンピュータプログラム製品。
【請求項２１】
管理クライアントコンピュータから副次薬剤構成コンピュータにおいて、選別された薬剤構成変更情報の一部分を受け入れる実施決定を受信するための第６のコードセグメントをさらに含む、請求項１８に記載のコンピュータプログラム製品。
【請求項２２】
副次システム処方データベースの少なくとも１つに、受け入れられた、選別された薬剤構成変更情報を伝送するための第７のコードセグメントと、
副次システム処方データベースに、受け入れられた、選別された薬剤構成変更情報を組み込むための第８のコードセグメントとをさらに含む、請求項２１に記載のコンピュータプログラム製品。
【発明の詳細な説明】
【技術分野】
【０００１】
本発明は、第１のシステム内の薬剤構成情報を他のシステム内の薬剤構成情報と同期するためのシステムおよび方法に関する。より詳細には、本発明は、中央機関内の薬剤構成情報を副次医療施設システム内の薬剤構成情報と同期することに関する。
【背景技術】
【０００２】
現代医療は、しばしば、薬剤送達ポンプおよび／または患者状態モニタなどの電子医療デバイスの使用を含む。例えば、電子医療ポンプは、ＵＳ５，６８１，２８５およびＵＳ６，２６９，３４０で開示されるとおり、或る薬物送達情報または薬物送達パラメータを含むカスタマイズ可能な「薬物ライブラリ」を電子的にロードされる、または有するように構成されることが可能である。薬剤送達デバイスを構成するため、制御するため、および監視するための薬剤管理システムが、開示されている。例えば、２００５年６月３０日にＵＳ２００５／０１４４０４３として公開された、本出願と権利者が共通の米国特許出願第１０／９３０，３５８号、および２００５年１２月１５日にＵＳ２００５／０２７８１９４として公開された米国特許出願第１０／７８３，５７３号が、ユーザによってカスタマイズ可能な薬物ライブラリまたは薬剤構成情報が、薬剤管理ユニット（ＭＭＵ）の薬物ライブラリエディタ（ＤＬＥ）プログラムおよびモジュールを使用して準備される、薬剤管理システムを開示する。ＭＭＵは、このカスタマイズ可能な薬物ライブラリを薬剤送達ポンプにダウンロードし、さらにそのポンプからステータス情報または作動情報を受信する。２００５年６月２日にＷＯ２００５／０５０５２６としてやはり公開された、本出願と権利者が共通の米国特許出願第１０／７８３，８７７号が、液体および／または液体薬剤などの物質を患者に送達する薬剤管理システムの文脈で、薬物ライブラリまたは薬剤構成情報がどのように作成され、編集され、格納され、薬剤送達デバイスに通信されるかを開示する。前述した本出願と権利者が共通の公開された特許出願によれば、医療機関における病院情報システム（ＨＩＳ）に対する副次薬剤管理システムと見なされることが可能な通常の薬剤管理システムには、１つまたは複数の薬剤送達デバイスと通信状態にあるＭＭＵが含まれる。ＭＭＵは、薬剤送達デバイスを構成するためのカスタマイズされた薬物ライブラリまたは薬剤構成情報と、薬剤送達デバイスから受信された作動情報とを格納する、関連するメモリを有する、通常、サーバであるコンピュータである。
【０００３】
この薬剤構成情報は、副次薬剤管理システムまたは薬剤送達システムにおいて確立されること（追加される、削除される、編集されるなど）が可能であるものの、この薬剤構成情報は、通常、ＨＩＳ内の薬局情報システム（ＰｈＩＳ）内などの、医療機関内の中央ロケーションにおいて確立される。処方薬剤構成情報の文脈において、２００７年９月１３日にＵＳ２００７／０２１３５９８として公開された、本出願と権利者が共通の米国特許出願第１０／７８３，８７７号において開示され、説明されるとおり、マスタ薬物処方が、薬物ライブラリを構成するのに使用される。ＵＳ２００７／０２１３５９８は、薬剤構成情報の確立のコンテンツ、フォーマット、転送、および他の多くの詳細、ならびにこの薬剤構成情報の副次薬剤管理システムへの転送を説明する。前述したとおり、２００５年６月３０日にＵＳ２００５／０１４４０４３として公開された、本出願と権利者が共通の米国特許出願第１０／９３０，３５８号も、いくつかの態様のなかでも、とりわけ、そのような薬剤構成情報の転送および使用を説明している。
【０００４】
変更とまとめて呼ばれる、追加、削除、編集、および／または修正が、時に応じて、ＨＩＳ内のＰｈＩＳなどの中央システム内の薬剤構成情報に行われる。前述したとおり、副次薬剤管理システムは、ＨＩＳ内のＰｈＩＳと通信することができ、さらに各副次薬剤管理システムは、通常、ＨＩＳにおける薬剤処方内の薬剤構成情報のサブセットである、その副次薬剤管理システム独自の副次薬剤構成情報または薬剤ライブラリを有する。しかし、副次薬剤管理システム、およびそのようなシステムの管理者は、管理者の副次薬剤管理システム内でこれらの変更の１つまたは複数を実施することを必ずしも所望せず、さらに中央システム内の薬剤構成情報内の変更がローカルで実施されるべきかどうかを判定する機構を必要とする。
【０００５】
このため、本発明の１つの目的は、一次薬剤構成情報システムと副次薬剤管理システムとの間、および／または副次薬剤管理システムの間で薬剤構成情報を同期するための少なくとも方法、システム、およびコンピュータプログラム製品を提供することである。
【０００６】
本発明のさらなる目的は、薬剤構成情報を同期する柔軟性があり、カスタマイズ可能な方法を提供することである。
【０００７】
本発明のさらなる目的は、或る特定の副次薬剤管理システムに関係のある薬剤構成情報だけを同期する方法を提供することである。
【０００８】
本明細書の「背景技術」セクション内で参照される特許および特許出願のすべてが、参照により本明細書に組み込まれ、本明細書の一部とされる。さらに、本発明は、前述した問題を解決し、さらに医療システムによって提供されない利点および態様をもたらすとともに、前段で明記されていない他の目的を実現するように提供される。本発明の特徴、利点、および目的の完全な説明は、添付の図面を参照して進められる後段の詳細な説明に譲る。
【先行技術文献】
【特許文献】
【０００９】
【特許文献１】米国特許第５，６８１，２８５号明細書
【特許文献２】米国特許第６，２６９，３４０号明細書
【特許文献３】米国特許出願公開第２００５／０１４４０４３号明細書
【特許文献４】米国特許出願公開第２００５／０２７８１９４号明細書
【特許文献５】国際公開第２００５／０５０５２６号パンフレット
【特許文献６】米国特許出願公開第２００７／０２１３５９８号明細書
【発明の概要】
【課題を解決するための手段】
【００１０】
本発明は、薬剤構成情報を同期するためのシステムおよび方法に関する。このため、一実施形態において、本発明は、一次薬剤構成コンピュータと副次薬剤構成コンピュータの間で薬剤構成情報を同期するためのシステムおよび方法を対象とする。この方法は、副次薬剤構成コンピュータにおいて一次薬剤構成コンピュータから薬剤構成変更情報を受信することを含む。
【００１１】
薬剤構成変更情報は、薬剤構成コンテンツソースから薬剤構成コンテンツを受信したことに応答して、一次薬剤構成コンピュータによって生成される。一実施形態において、薬剤構成コンテンツソースは、製薬会社を含むことが可能であり、その会社が、医療機関の薬局コンピュータまたは薬局情報システム（ＰｈＩＳ）に新たな薬剤に関する処方薬剤情報を電子的に転送するなどして、医療機関に構成コンテンツを通信する。別の実施形態において、薬剤構成コンテンツソースは、薬局専門家から処方薬剤情報の追加、削除、および／または編集などの変更を受信し、さらにそのような変更された処方薬剤情報を医療機関のＰｈＩＳに転送する薬局クライアントコンピュータを含むことが可能である。
【００１２】
薬剤構成変更情報が、副次薬剤構成コンピュータにおいて一次薬剤構成コンピュータから受信されると、副次薬剤構成コンピュータは、その薬剤構成変更情報を選別するように構成される。副次薬剤構成コンピュータまたは関連するシステムは、選別規則を適用して、選別された薬剤構成変更情報を生成する。
【００１３】
一実施形態では、副次薬剤構成コンピュータ内、または関連システム内で実行される選別規則アプリケーションまたは選別規則ソフトウェアモジュールが、選別規則を受け取るための選別規則インタフェーススクリーンを生成する。選別規則インタフェーススクリーンを介して、副次薬剤構成コンピュータから１つまたは複数の選別規則の入力を要求する要求が伝送されることが可能であり、選別規則は、薬剤構成情報選別プロセス内で後に使用するために副次薬剤構成コンピュータにおいて受け取られることが可能である。一実施形態では、選別規則は、剤形（ｄｏｓａｇｅ  ｆｏｒｍ）および／または薬剤ＩＤ（識別子）を含むことが可能である。
【００１４】
薬剤構成情報が、それまでに入力されている選別規則の１つまたは複数を使用して選別されると、選別された薬剤構成変更情報は、リポジトリ、または「トラップ」の中に格納される。このトラップは、副次システム管理者が、副次薬剤管理システム、およびこのシステム内のそれぞれのデータベースに実施する、または組み込むのに先立って、すべての「トラップされた」選別済みの薬剤構成変更情報を点検し、分析することを可能にする。このため、一実施形態では、トラップ内に格納された、選別された薬剤構成変更情報についての実施決定を受け取るためのトラップ管理インタフェースを生成するためのリポジトリ管理もしくはトラップ管理のアプリケーションもしくはソフトウェアモジュールが、提供される。副次システム管理者は、管理クライアントコンピュータを使用することができ、このコンピュータを介してトラップ管理インタフェースが使用されて、トラップ内でそれぞれの選別された薬剤構成変更情報エントリが受け入れられる、または拒否されることが可能である。一実施形態では、トラップ内に選別された薬剤構成変更情報が存在する場合、または所定の量を超える選別された薬剤構成変更情報が、トラップ内にある場合、トラップ管理アプリケーションは、電子メールなどの通信を副次システム管理者に伝送するように構成されることが可能である。この通信は、対処（受け入れまたは拒否）されなければならない、選別された薬剤構成変更情報がトラップ内に存在することを副次システム管理者に通知する。
【００１５】
受け入れられた、選別された薬剤構成変更情報は、副次システム内で受け入れられた、選別された薬剤構成変更情報を使用するために、次に、副次システム処方データベースおよび／または副次臨床情報システムデータベースなどの副次システムデータベースに伝送され、このデータベースに組み込まれることが可能である。
【００１６】
前述したとおり、一実施形態では、本発明の方法およびシステムは、処方薬剤データベースを内部に有する薬剤処方コンピュータまたはＰｈＩＳなどの一次薬剤構成コンピュータと、処方薬剤データベースを内部に有する薬剤管理システムなどの副次薬剤構成コンピュータとの間で処方薬剤情報を同期することを対象とする。薬剤の文脈において、処方情報変更は、新たな処方薬剤の追加、処方薬剤の削除、あるいは各処方薬剤に関する一般名、ブランド名、外部識別子、強さの量、強さの単位、ボリューム量、ボリューム単位、剤形コード、および／または各処方薬剤の剤形記述のうち１つまたは複数の編集などの、既存の処方薬剤の編集を含むことが可能である。
【００１７】
別の実施形態において、薬剤構成情報は、注入ポンプを介して薬剤を送達することを助けるのに使用されることが可能である。この実施形態において、各薬剤構成情報または各薬剤エントリは、注入ポンプを介してそのような薬剤を送達することに関する一般名、ブランド名、規則セットタイプ、濃度、投薬単位、アラームに関するハード下限、ソフト下限、ソフト上限、および／またはハード上限を含むことが可能である。
【００１８】
本発明の他の特徴および利点は、以下の図面と併せて解釈される、以下の明細から明白となろう。
【００１９】
次に、本発明を理解するのに、添付の図面を参照して、例として、本発明を説明する。
【図面の簡単な説明】
【００２０】
【図１】本発明の一実施形態を示すシステム図である。
【図２】本発明の一実施形態を示す機能図である。
【図３】本発明の薬剤構成情報の変更を受け取るプロセスの一実施形態を示す流れ図である。
【図４】本発明の薬剤構成情報の変更を選別するのに使用される選別規則を構成するプロセスの一実施形態を示す流れ図である。
【図５】本発明のトラップ内で薬剤構成情報の選別された変更を管理するプロセスの一実施形態を示す流れ図である。
【図６】本発明の一実施形態のトラップ管理アプリケーション内で生成された保留中薬剤インタフェーススクリーンを示す図である。
【図７】本発明の一実施形態のトラップ管理アプリケーション内で生成された保留中追加インタフェーススクリーンを示す図である。
【図８】本発明の一実施形態のトラップ管理アプリケーション内で生成された保留中更新インタフェーススクリーンを示す図である。
【図９】本発明の一実施形態のトラップ管理アプリケーション内で生成された保留中削除インタフェーススクリーンを示す図である。
【図１０】本発明の副次薬剤管理システムに薬剤構成情報の変更が組み込まれたことを確認するレセプトを示す図である。
【図１１】本発明の一実施形態の選別規則アプリケーション内で生成された構成選別規則インタフェーススクリーンを示す図である。
【図１２】本発明の一実施形態の選別規則アプリケーション内で生成された剤形選別規則追加インタフェーススクリーンを示す図である。
【図１３】本発明の一実施形態の選別規則アプリケーション内で生成された外部ＩＤ選別規則追加インタフェーススクリーンを示す図である。
【発明を実施するための形態】
【００２１】
本発明は、多くの異なる形態の実施形態が可能であるが、本開示は、本発明の原理の例示と見なされ、例示される実施形態に本発明の広い態様を限定することは意図していないものと理解して、本発明の好ましい実施形態が、図面に示されており、本明細書で詳細に説明される。
【００２２】
図１を参照すると、本発明の一実施形態のシステム図が、示されている。知られている中央病院情報システム（ＨＩＳ）１０２が、示されている。そのようなシステムは、参照され、本明細書に組み込まれている前述の米国特許出願の少なくとも１つまたは複数において説明されている。薬局情報コンピュータまたは薬局情報システム（ＰｈＩＳ）などの一次薬剤構成コンピュータ１０４は、ＨＩＳ１０２の一部であることも、ＨＩＳ１０２とは別個であることも可能である。図２をさらに参照すると、本発明の一実施形態の機能図が、示されている。薬局情報システムアプリケーション２０４が、示されている。ＰｈＩＳコンピュータ１０４、およびコンピュータ１０４内で実行されることが可能な薬局情報システムアプリケーション２０４は、処方薬剤情報などの薬剤構成情報を受け取り、格納するために提供される。この薬剤構成情報は、ＨＩＳ薬局エントリ機能２０６として図２に示される、薬剤師または他の投薬専門家によって、薬局クライアントコンピュータまたはＨＩＳ／薬局インタフェース端末装置などのコンピュータ端末装置１０６を介して入力されることが可能である。また、処方薬剤情報は、製薬会社コンピュータ１０８などを介して、病院または医療機関に医薬品などの薬剤を供給する製薬会社から電子形態で受信されることも可能である。この処方薬剤情報は、処方薬剤情報コンテンツプロバイダによってエントリ機能２０８として図２に示されるとおり、製薬会社コンピュータ１０８から一次薬剤構成コンピュータ１０４に、ファイル転送プロトコル（ＦＴＰ）、ファイル共有ポスティングおよびファイル共有ポスティングからダウンロードすること、電子メールに添付された電子ファイル、または他の何らかの電子手段によるなど、様々な形式で医療機関に伝送されることが可能である。また、この処方薬剤情報は、処方薬剤情報コンテンツプロバイダからＣＤＲＯＭ上、またはペンドライブ上など、ポータブル記憶媒体上で医療機関に送られて、ＨＩＳ／薬局インタフェース端末装置１０６を使用してＨＩＳ薬局エントリ機能２０６を介して入力されることも可能である。
【００２３】
製薬会社から受け取られた、または投薬専門家によって手作業で入力された処方薬剤情報は、一次ＰｈＩＳ２０内の処方薬剤構成情報データベース１０４を更新するのに使用される。具体的には、受け取られた、または入力された処方薬剤情報は、一次薬剤構成コンピュータ内、またはＰｈＩＳ１０４、２０４内の処方薬剤情報データベース１０４内で新たな薬剤情報エントリを追加する、既存の薬剤情報エントリを削除する、既存の薬剤情報エントリを編集し、さらに／または修正するのに使用される。処方薬剤情報データベース１０４内の処方薬剤情報に対する、これらのデータ変更アクションは、時に応じて、通常は、アドホックに行われる。一実施形態では、薬剤構成情報の受け取りは、エントリ機能１０８で示される処方薬剤情報コンテンツプロバイダからなど、他のシステムから、スケジュールされた形式で行われることが可能である。
【００２４】
薬剤構成情報データベース１０４、２０４内のこれらの「マスタ」薬剤構成情報エントリは、図１内で線１１２の右側に示され、さらに機能上、図２における線２１２の右側に示される遠隔の、または副次の薬剤管理システムまたは薬剤送達システム１１０、２１０を更新する、または同期するのに使用されることが可能である。副次システムは、一次薬剤情報コンピュータ／ＰｈＩＳ１０４、２０４と通信することができ、さらに各副次システムが、通常、一次薬剤情報コンピュータ／ＰｈＩＳ１０４、２０４内に格納された薬剤構成情報のサブセットである、そのシステム独自の「ローカル」副次薬剤情報を有する。一実施形態では、処方薬剤情報などの各「ローカル」副次薬剤情報が、副次システム処方コンピュータ１２０内、およびコンピュータ１２０内のそれぞれの「ローカル」処方データベース２２０内に格納される。
【００２５】
各副次システムに関して、いくつかの機能を実行することができる副次薬剤構成コンピュータ１３０が、提供される。具体的には、副次薬剤構成コンピュータ１３０は、一次薬剤情報コンピュータ／ＰｈＩＳ１０４、２０４とインタフェースをとり、通信するためのインタフェースソフトウェアモジュールまたはインタフェースアプリケーション２３０を含むことが可能である。また、副次薬剤構成コンピュータ１３０は、本明細書で説明されるとおり選別規則を構成するための選別規則構成ソフトウェアモジュールまたは選別規則構成アプリケーション２４０を含むことも可能である。また、副次薬剤構成コンピュータ１３０は、図１の実施形態内で、副次薬剤構成コンピュータ１３０の一部分であることも可能なリポジトリまたはトラップ２６０にトラップされる、または選別して入れられる薬剤構成情報を管理するためのリポジトリもしくは「トラップ」管理ソフトウェアモジュール、またはリポジトリもしくは「トラップ」管理アプリケーション２５０を含むことも可能である。このため、副次薬剤構成コンピュータ１３０は、副次システムインタフェース／選別／トラップコンピュータ１３０と見なされることも可能である。副次薬剤構成コンピュータ１３０は、一次薬剤構成コンピュータ１０４から薬剤構成変更情報を受信する。選別規則リポジトリ２７０内に格納された選別規則を使用して、副次薬剤構成コンピュータ１３０、およびそれぞれのインタフェースモジュール２３０において、一次薬剤構成コンピュータ１０４、２０４から薬剤構成変更情報が受信されると、副次薬剤構成コンピュータ１３０およびインタフェースモジュール２３０は、以前に入力され、構成された選別規則２７０に従って薬剤構成変更情報を選別するように構成される。このため、副次薬剤構成コンピュータ１３０は、１つまたは複数の選別規則を適用して、選別された薬剤構成変更情報を生成する。選別された薬剤構成変更情報は、リポジトリまたはトラップ２６０の中にトラップされて、または選別されて、格納される。
【００２６】
選別規則リポジトリ２７０内の選別規則は、副次薬剤構成コンピュータ１３０内で実行される選別規則アプリケーションまたは選別規則ソフトウェアモジュール２４０を使用して作成されることが可能である。選別規則モジュール２４０およびクライアントコンピュータ１４０は、図２内のエントリ機能２８０を介して示されるとおり、ローカルシステム薬剤師または副次システム管理者から選別規則を受け取るための、クライアントコンピュータ１４０上に表示されることが可能な１つまたは複数の選別規則インタフェーススクリーンを生成することができる。後段でより詳細に説明されるとおり、図１１−図１４に示されるスクリーンなどの選別規則インタフェーススクリーンを介して、副次薬剤構成コンピュータ１３０および選別規則構成モジュール２４０から１つまたは複数の選別規則の入力を要求する要求が、伝送されることが可能であり、選別規則は、クライアントコンピュータ１４０を介して入力されることが可能であり、さらに選別規則は、薬剤構成情報選別プロセス内で後に使用するために副次薬剤構成コンピュータ１３０において受け取られることが可能である。このため、副次薬剤構成コンピュータ１３０内の選別規則リポジトリ２７０内の受け取られた選別規則が、受け取られた薬剤構成変更情報を選別するのに使用され、さらに、これらの選別された薬剤構成変更情報が、リポジトリまたはトラップ２６０内にトラップされ、または選別されて入れられて、格納される。
【００２７】
トラップ２６０は、図２内のエントリ機能２８０によって示されるとおり、薬剤師または副次システム管理者が、すべての「トラップされた」選別済みの薬剤構成変更情報を点検し、分析することを可能にする。一実施形態では、リポジトリ管理もしくはトラップ管理のアプリケーションもしくはソフトウェアモジュール２５０が、トラップされた選別済みの薬剤構成変更情報を管理するために提供される。一実施形態では、トラップ管理アプリケーション２５０は、後段でより詳細に説明されるとおり、図６−図９に示されるとおり、副次薬剤構成コンピュータ１３０内に存在して、コンピュータ１３０上で実行され、さらに１つまたは複数のトラップ管理インタフェーススクリーンを生成することができる。トラップ管理インタフェーススクリーンは、クライアントコンピュータ１４０を介して提供されることが可能であり、さらにこれらのインタフェーススクリーンを使用する副次システム管理者が、トラップ内に格納された、選別された薬剤構成変更情報のそれぞれについての実施決定を、副次薬剤構成コンピュータ１３０、およびコンピュータ１３０上で実行されるトラップ管理アプリケーション２６０に与えることを可能にする。副次システム管理者は、クライアントコンピュータ１４０およびトラップ管理インタフェーススクリーンを使用して、トラップ２６０内にそれぞれの選別された薬剤構成変更情報エントリを受け入れる、または拒否することができる。
【００２８】
一実施形態では、トラップ２６０内に選別された薬剤構成変更情報が存在する場合、または所定の量を超える選別された薬剤構成変更情報が、トラップ２６０内にある場合、トラップ管理アプリケーション２５０は、電子メールなどの通信を、副次システム管理者によって使用されているクライアントコンピュータ１４０または他のコンピュータまたはＰＤＡを介して副次システム管理者に伝送するように構成されることが可能である。この通信は、対処（受け入れまたは拒否）される準備ができた、または対処されなければならない、選別された薬剤構成変更情報がトラップ２６０内に存在することを副次システム管理者に通知する。トラップ管理アプリケーション２５０は、トラップ２６０内にある選別された薬剤構成変更情報を要約し、さらに／または分類し、さらにそのような要約および／または分類情報を、副次システム管理者への、電子メールなどの通信の一部分として含めるように構成されることが可能である。例えば、トラップ管理アプリケーション２５０は、トラップ２６０内の「更新」薬剤構成情報、「追加」薬剤構成情報、および／または「削除」薬剤構成情報アイテムの総数を別々に特定し、通信内に含めるように構成されることが可能である。このため、本発明は、副次薬剤管理システムまたは副次薬剤管理コンピュータ１２０、および処方薬剤データベースなどのシステムまたはコンピュータ１２０の内部のそれぞれのデータベースに、選別された薬剤構成変更情報を実施すること、または組み込むことに先立って、選別された薬剤構成変更情報を点検し、受け入れる、または拒否する能力を副次システム管理者に与える。受け入れられた選別済みの薬剤構成変更情報、および／または拒否された選別済みの薬剤構成変更情報は、トラップ管理アプリケーション２５０によって追跡されることが可能であり、さらにそのような受け入れおよび拒否の履歴が、副次薬剤構成コンピュータ１３０の中に格納されることが可能である。
【００２９】
副次システム管理者が、選別された薬剤構成変更情報エントリの１つまたは複数を受け入れると、次に、受け入れられた選別済みの薬剤構成変更情報は、副次臨床情報システム２９０、およびシステム２９０内のデータベースなどの副次システムデータベースに伝送され、このデータベースに組み込まれることが可能である。図１に示される実施形態において、受け入れられた選別済みの薬剤構成変更情報は、別個の副次システム処方コンピュータ１２０、およびコンピュータ１２０内の処方データベースに伝送され、組み込まれる。この副次コンピュータ処方コンピュータ１２０から、処方管理クライアント１５０を介して、本明細書の「背景技術」セクション内で参照した特許および特許出願を参照して、より容易に理解され得る、他の様々なローカル処方機能および他の薬剤管理機能が、提供されることが可能である。具体的には、本発明の譲受人によってＲＸＲＵＬＥＳおよびＭｅｄＮｅｔＭｅｄｓと最近になって呼ばれているローカル薬物ライブラリエディタ（ＤＬＥ）、および関連する機能が、処方管理クライアント１５０を介して提供されることが可能である。
【００３０】
副次システム処方コンピュータ１２０内のローカル処方薬剤データベースのサブセット、またはそれより多くが、副次臨床情報システム１６０に通信される、またはダウンロードされることが可能である。副次臨床情報システム１６０は、本明細書の「背景技術」セクション内で参照した特許および特許出願の中で詳細に説明される、１つまたは複数の薬剤管理ユニット（ＭＭＵ）を含むことが可能である。副次臨床情報システム１６０、およびシステム１６０内のＭＭＵとインタフェースをとるための副次システムクライアント１７０が、提供されることが可能である。ＭＭＵ内、ならびに接続されたシステムおよびデバイスの内部のローカル処方薬剤データベース情報の使用は、これらの参照される特許および特許出願から理解され得る。代替として、受け入れられた選別済みの薬剤構成変更情報は、図１に示されるとおり、副次臨床情報システム１６０に直接に伝送され、組み込まれることも可能である。
【００３１】
一次システム１０２および副次システム１１０、ならびにシステム１０２、１１０内のアプリケーションに関する同期システムおよび同期方法は、ソフトウェア、ファームウェア、ハードウェア、または以上の組み合わせで実施されることが可能である。１つのモードでは、一次システム１０２および副次システム１１０に関する同期システムおよび同期方法は、１つまたは複数の実行可能プログラムまたは実行可能アプリケーションとして、ソフトウェアで実施され、パーソナルコンピュータ（ＰＣ、ＩＢＭ互換型、ＡＰＰＬＥ互換型、またはそれ以外）、パーソナルデジタルアシスタント、ワークステーション、ミニコンピュータ、サーバ、および／またはメインフレームコンピュータなどの１つまたは複数の専用もしくは汎用のデジタルコンピュータによって実行される。したがって、一次システムコンピュータおよび／または副次システムコンピュータ１０４、１０６、１２０、１３０、１４０、１５０、１６０、および１７０は、一次システム１０２および副次システム１１０に関する同期システムおよび同期方法のアプリケーションが内部に存在する、または部分的に存在する任意のコンピュータを表すことが可能である。
【００３２】
一般に、ハードウェアアーキテクチャの点で、図１および図２に示されるとおり、一次システム１０２および副次システム１１０のコンピュータ１０４、１０６、１２０、１３０、１４０、１５０、１６０、および１７０、ならびに薬剤コンピュータ１０８は、ローカルインタフェースを介して通信するように結合されたプロセッサ、メモリ、および１つまたは複数の入出力（Ｉ／Ｏ）デバイス（または周辺装置）を含む。ローカルインタフェースは、例えば、当技術分野で知られているとおり、１つまたは複数のバス、または他の有線接続もしくは無線接続であることが可能であるが、以上には限定されない。ローカルインタフェースは、通信を可能にする、コントローラ、バッファ（キャッシュ）、ドライバ、中継器、および受信機などの、さらなる要素を有することが可能である。さらに、ローカルインタフェースは、その他のコンピュータ構成要素の間で適切な通信を可能にするアドレス、コントロール、および／またはデータ接続を含むことが可能である。
【００３３】
プロセッサは、ソフトウェア、特にメモリの中に格納されたソフトウェアを実行するためのハードウェアデバイスである。プロセッサは、任意のカスタムメイドの、または市販のプロセッサ、中央処理装置（ＣＰＵ）、一次システム１０２および副次システム１１０のコンピュータ１０４、１０６、１２０、１３０、１４０、１５０、１６０、および１７０、ならびに薬剤コンピュータ１０８に関連するいくつかのプロセッサのなかの補助プロセッサ、半導体ベースのマイクロプロセッサ（マイクロチップまたはチップセットの形態の）、マクロプロセッサ、あるいは一般に、ソフトウェア命令を実行するための任意のデバイスであることが可能である。適切な市販のマイクロプロセッサの例は、以下のとおりである。すなわち、ヒューレットパッカードカンパニーからのＰＡ−ＲＩＳＣシリーズのマイクロプロセッサ、インテルコーポレーションからの８０ｘ８６シリーズもしくはＰｅｎｔｉｕｍ（登録商標）シリーズのマイクロプロセッサ、ＩＢＭからのＰｏｗｅｒＰＣマイクロプロセッサ、サンマイクロシステムズ社からのＳｐａｒｃマイクロプロセッサ、またはモトローラコーポレーションからの６８ｘｘｘシリーズのマイクロプロセッサ。また、これらのプロセッサは、ＥＪＢ、ＣＯＲＢＡ、およびＤＣＯＭなどの、ただし、以上には限定されない分散処理アーキテクチャを表すことも可能である。一実施形態において、ＰｈＩＳコンピュータ１０４は、ＷＩＮＤＯＷＳ（登録商標）ベースのサーバもしくは一連のサーバであり、副次構成情報コンピュータ１３０はそれぞれ、ＷＩＮＤＯＷＳ（登録商標）ベースのサーバもしくは一連のサーバである。
【００３４】
一次システム１０２および副次システム１１０の各コンピュータ１０４、１０６、１２０、１３０、１４０、１５０、１６０、および１７０、ならびに薬剤コンピュータ１０８の各メモリは、揮発性メモリ要素（例えば、ランダムアクセスメモリ（ＤＲＡＭ、ＳＲＡＭ、ＳＤＲＡＭなどのＲＡＭ））と不揮発性メモリ要素（例えば、ＲＯＭ、ハードドライブ、テープ、ＣＤＲＯＭなど）の任意の１つまたは組み合わせを含むことが可能である。さらに、これらのメモリは、電子タイプ、磁気タイプ、光タイプ、および／またはその他のタイプの記憶媒体を組み込むことが可能である。これらのメモリは、様々な構成要素が、互いに遠隔に配置されるが、それでも、一次システム１０２および副次システム１１０のコンピュータ１０４、１０６、１２０、１３０、１４０、１５０、１６０、および１７０、ならびに薬剤コンピュータ１０８のプロセッサによってアクセスされる分散アーキテクチャを有することが可能である。
【００３５】
前述のメモリの１つまたは複数のメモリ内のソフトウェアは、１つまたは複数の別個のプログラムを含むことが可能である。これらの別個のプログラムは、論理機能を実施するための実行可能命令の順序付けられたリストを備える。図１および図２の例において、メモリの中のソフトウェアは、適切なオペレーティングシステム（Ｏ／Ｓ）を含む。適切な市販のオペレーティングシステムの例の網羅的ではないリストは、以下のとおりである。すなわち、（ａ）マイクロソフトコーポレーションから入手可能なＷＩＮＤＯＷＳ（登録商標）オペレーティングシステム、（ｂ）ノベル社から入手可能なＮＥＴＷＡＲＥオペレーティングシステム、（ｃ）アップルコンピュータ社から入手可能なＭＡＣＩＮＴＯＳＨオペレーティングシステム、（ｄ）ヒューレットパッカードカンパニー、サンマイクロシステムズ社、およびＡＴ＆Ｔコーポレーションなどの多くのベンダから購入可能であるＵＮＩＸ（登録商標）オペレーティングシステム、（ｅ）インターネットで容易に入手可能なフリーウェアであるＬＩＮＵＸオペレーティングシステム、（ｆ）ＷｉｎｄＲｉｖｅｒ  Ｓｙｓｔｅｍｓ社からのランタイムＶＸＷＯＲＫＳオペレーティングシステム、または（ｇ）ハンドヘルドコンピュータもしくはパーソナルデジタルアシスタント（ＰＤＡ）において実施されるような機器ベースのオペレーティングシステム（例えば、パームコンピューティング社から入手可能なＰａｌｍＯＳ（ＴＭ）、およびマイクロソフトコーポレーションから入手可能なＷＩＮＤＯＷＳ（登録商標）  ＣＥ）。これらのオペレーティングシステムは、基本的に、本発明に従って、構成／作動情報集約アプリケーションおよび／または構成情報アプリケーションなどの、他のコンピュータプログラムの実行を制御し、さらにスケジューリング、入出力制御、ファイルおよびデータの管理、メモリ管理、および通信制御、ならびに関連するサービスを提供する。
【００３６】
薬局情報システムアプリケーション２０４、インタフェースアプリケーション２３０、選別規則構成アプリケーション２４０、トラップ管理アプリケーション２５０、ならびに一次同期システム１０２および副次同期システム１１０内の他のソースプログラムは、ソースプログラム、実行可能プログラム（オブジェクトコード）、スクリプト、または実行されるべき命令のセットを備える他の任意のエンティティであることが可能である。ソースプログラムである場合、このプログラムは、Ｏ／Ｓに関連して適切に動作するように、メモリ内に含まれることも、含まれないことも可能なコンパイラ、アセンブラ、インタープリタなどを介して変換される必要がある。さらに、これらのアプリケーションは、（ａ）データおよびメソッドのクラスを有するオブジェクト指向プログラミング言語、または（ｂ）ルーチン、サブルーチン、および／またはファンクションを有する手続き型プログラミング言語、例えば、ただし、以下に限定されずに、ＶＢ．Ｎｅｔ、Ｃ＃、Ｃ、Ｃ＋＋、Ｐａｓｃａｌ、Ｂａｓｉｃ、Ｆｏｒｔｒａｎ、Ｃｏｂｏｌ、Ｐｅｒｌ、Ｊａｖａ（登録商標）、およびＡｄａとして書かれることが可能である。一実施形態では、構成／作動情報集約アプリケーションは、ＶＢ．Ｎｅｔで書かれ、構成情報アプリケーションは、Ｔ−ＳＱＬで書かれる。
【００３７】
前述したＩ／Ｏデバイスは、入力デバイス、例えば、ＰＬＣのための入力モジュール、キーボード、マウス、スキャナ、マイクロホン、タッチスクリーン、様々な医療デバイスのためのインタフェース、バーコードリーダ、スタイラス、レーザリーダ、無線周波数デバイスリーダなどを含むことが可能である。さらに、Ｉ／Ｏデバイスは、出力デバイス、例えば、ただし、以下に限定されずに、ＰＬＣのための出力モジュール、プリンタ、バーコードプリンタ、ディスプレイなどを含むことも可能である。最後に、Ｉ／Ｏデバイスは、入力と出力の両方を通信するデバイス、例えば、ただし、以下に限定されずに、変調器／復調器（モデム、例えば、別のデバイス、システム、またはネットワークにアクセスするための）、無線周波数（ＲＦ）またはその他のトランシーバ、電話インタフェース、ブリッジ、およびルータをさらに含むことが可能である。
【００３８】
一次システム１０２および副次システム１１０のコンピュータ１０４、１０６、１２０、１３０、１４０、１５０、１６０、および１７０、ならびに薬剤コンピュータ１０８が、ＰＣ、ワークステーション、ＰＤＡなどである場合、それぞれのメモリの中のソフトウェアは、基本入出力システム（ＢＩＯＳ）（図１および図２に示さず）をさらに含むことが可能である。ＢＩＯＳは、起動時にハードウェアを初期設定して、試験し、Ｏ／Ｓを起動し、ハードウェアデバイスの間でデータの転送をサポートする基本的なソフトウェアルーチンのセットである。ＢＩＯＳは、一次システム１０２および副次システム１１０のコンピュータ１０４、１０６、１２０、１３０、１４０、１５０、１６０、および１７０、ならびに薬剤コンピュータ１０８が活性化された際に、ＢＩＯＳが実行されることが可能であるようにＲＯＭの中に格納される。
【００３９】
一次システム１０２および副次システム１１０のコンピュータ１０４、１０６、１２０、１３０、１４０、１５０、１６０、および１７０、ならびに薬剤コンピュータ１０８が動作している際、これらのコンピュータ内部のプロセッサは、それぞれのメモリ内に格納されたソフトウェアを実行し、メモリにデータを通信し、メモリからデータを通信し、さらにそのソフトウェアに従って、一次システム１０２および副次システム１１０のコンピュータ１０４、１０６、１２０、１３０、１４０、１５０、１６０、および１７０、ならびに薬剤コンピュータ１０８の動作を全体的に制御するように構成される。構成／作動情報集約アプリケーションおよび構成情報アプリケーション、ならびにＯ／Ｓは全体が、または部分的に、ただし、通常は部分的に、それぞれのプロセッサによって読み取られ、おそらく、プロセッサ内にバッファリングされ、次に、実行される。
【００４０】
一次システム１０２および副次システム１１０に関する同期システムおよび同期方法が、図１および図２に示されるとおり、ソフトウェアで実施される場合、システム内部のアプリケーションプログラムは、任意のコンピュータ関連のシステムもしくは方法によって、またはそのようなシステムもしくは方法に関連して使用されるように、任意のコンピュータ可読媒体上に格納されることが可能であることに留意されたい。本明細書の文脈において、コンピュータ可読媒体は、コンピュータ関連のシステムもしくは方法によって、またはそのようなシステムもしくは方法に関連して使用されるように、コンピュータプログラムを含む、または格納することが可能な電子、磁気、光、またはその他の物理デバイスもしくは物理手段である。薬局情報システムアプリケーション２０４、インタフェースアプリケーション２３０、選別規則構成アプリケーション２４０、トラップ管理アプリケーション２５０などのアプリケーションプログラムは、コンピュータベースのシステム、プロセッサ含有システム、あるいは命令実行システム、命令実行装置、または命令実行デバイスから命令をフェッチして、それらの命令を実行することができる他のシステムなどの、命令実行システム、命令実行装置、または命令実行デバイスによって、またはそのようなシステム、装置、またはデバイスに関連して使用されるように、任意のコンピュータ可読媒体において具体化されることが可能である。本明細書の文脈において、「コンピュータ可読媒体」は、命令実行システム、命令実行装置、または命令実行デバイスによって、またはそのようなシステム、装置、またはデバイスに関連して使用されるように、そのプログラムを格納する、通信する、伝搬する、またはトランスポートする任意の手段であることが可能である。コンピュータ可読媒体は、例えば、ただし、以下に限定されずに、電子、磁気、光、電磁、赤外線、または半導体のシステム、装置、デバイス、または伝搬媒体であることが可能である。コンピュータ可読媒体のより具体的な例（網羅的でないリスト）には、以下が含まれる。すなわち、１つまたは複数の配線を有する電気接続（電子）、ポータブルコンピュータディスケット（磁気）、ランダムアクセスメモリ（ＲＡＭ）（電子）、読み取り専用メモリ（ＲＯＭ）（電子）、消去可能なプログラマブル読み取り専用メモリ（ＥＰＲＯＭ、ＥＥＰＲＯＭ、またはＦｌａｓｈメモリ）（電子）、光ファイバ（光）、およびポータブルコンパクトディスク読み取り専用メモリ（ＣＤＲＯＭ）（光）。プログラムは、例えば、紙または他の媒体の光学スキャンを介して電子的にキャプチャされ、次に、必要とされる場合、適切な形式でコンパイルされ、翻案され、またはそれ以外で処理され、次に、コンピュータメモリの中に格納されることが可能であるので、コンピュータ可読媒体は、紙またはプログラムが印刷可能な別の適切な媒体であることさえ可能であることに留意されたい。
【００４１】
一次システム１０２および副次システム１１０に関する同期システムおよび同期方法がハードウェアで実施される別の実施形態において、これらのシステムおよび方法は、当技術分野でそれぞれよく知られている、以下の技術のいずれか、または組み合わせを使用して実施されることが可能である。すなわち、データ信号に対して論理機能を実施するための論理ゲートを有するディスクリートの論理回路、適切な組み合わせ論理ゲートを有する特定用途向け集積回路（ＡＳＩＣ）、プログラマブルゲートアレイ（ＰＧＡ）、フィールドプログラマブルゲートアレイ（ＦＰＧＡ）など。
【００４２】
図３を参照すると、薬剤構成情報の変更を受け取るプロセスの一実施形態が、流れ図形式で示されている。具体的には、図３は、ＰｈＩＳ２０４とインタフェースアプリケーション２３０の間の対話の一部を示す。第１のステップ３００で、ＰｈＩＳ２０４は、新たな処方薬剤を副次システムに追加するために、インタフェースアプリケーション２３０に「処方アイテム追加」を送信することができる。第２のステップ３０２で、インタフェースモジュールは、以前に入力された選別規則に基づいて、そのアイテムがトラップ２６０から排除されるべきかどうかを確認するように構成される。そのアイテムが排除されるべき場合、インタフェースモジュールは、そのアイテムをトラップ２６０に転送しない。インタフェースモジュールが、そのアイテムが排除されるべきであると判定しない場合、第３のステップ３０４で、インタフェースモジュールは、そのアイテムが、ローカル薬剤処方２２０内などの、副次システム内の薬剤構成情報の中に既に存在しているかどうかを判定するように構成される。そのアイテムが、副次システム内の薬剤構成情報の中に存在しない場合、第４のステップ３０６で、インタフェースモジュールは、「追加」の指示とともに、そのアイテムをトラップ２６０に送るように構成される。そのアイテムが、副次システム内の薬剤構成情報の中に存在する場合、第４のステップ３０６で、インタフェースモジュールは、「更新」の指示とともに、そのアイテムをトラップ２６０に送るように構成される。
【００４３】
第５のステップ３１０で、ＰｈＩＳ２０４は、副次システムの中の既存の処方薬剤を更新するために、インタフェースアプリケーション２３０に「処方アイテム更新」を送ることが可能である。第６のステップ３１２で、インタフェースモジュールは、以前に入力されている選別規則に基づいて、そのアイテムがトラップから排除されるべきかどうかを確認するように構成される。そのアイテムが排除されるべき場合、インタフェースモジュールは、そのアイテムをトラップ２６０に転送しない。インタフェースモジュールが、そのアイテムが排除されるべきであると判定しない場合、第７のステップ３１４で、インタフェースモジュールは、ローカル薬剤処方２２０内などの、副次システム内の薬剤構成情報の中にそのアイテムが既に存在しているかどうかを判定するように構成される。そのアイテムが、副次システム内の薬剤構成情報の中に存在しない場合、第８のステップ３１６で、インタフェースモジュールは、「追加」の指示とともに、そのアイテムをトラップ２６０に送るように構成される。そのアイテムが、副次システム内の薬剤構成情報の中に存在する場合、第９のステップ３１６で、インタフェースモジュールは、「更新」の指示とともに、そのアイテムをトラップ２６０に送るように構成される。
【００４４】
第１０のステップ３２０で、ＰｈＩＳ２０４は、副次システムの中の既存の処方薬剤を削除するために、インタフェースアプリケーション２３０に「処方アイテム削除」を送ることが可能である。第１１のステップ３２２で、インタフェースモジュールは、以前に入力されている選別規則に基づいて、そのアイテムがトラップから排除されるべきかどうかを確認するように構成される。そのアイテムが排除されるべき場合、インタフェースモジュールは、そのアイテムをトラップ２６０に転送しない。インタフェースモジュールが、そのアイテムが排除されるべきであると判定しない場合、第１２のステップ３２４で、インタフェースモジュールは、ローカル薬剤処方２２０内などの、副次システム内の薬剤構成情報の中にそのアイテムが既に存在しているかどうかを判定するように構成される。そのアイテムが、副次システム内の薬剤構成情報の中に存在しない場合、第１３のステップ３２６で、インタフェースモジュールは、何もアクションを行わないように構成される。そのアイテムが、副次システム内の薬剤構成情報の中に存在する場合、第１３のステップ３２６で、インタフェースモジュールは、「削除」の指示とともに、そのアイテムをトラップ２６０に送るように構成される。
【００４５】
図４を参照すると、薬剤構成情報の変更を選別するのに使用される選別規則を構成するプロセスの一実施形態が、流れ図形態で示されている。具体的には、図４は、クライアントコンピュータ１４０と選別規則構成アプリケーション２４０の間の対話の一部を示し、薬剤師／副次システム管理者が、そのようなクライアントコンピュータ１４０を使用している。それぞれが別個のステップであり得るステップの第１のセット４１０において、そのようなクライアントコンピュータ１４０を使用する薬剤師／副次システム管理者、および少なくとも部分的に選別規則構成アプリケーション２４０によって生成された１つまたは複数のインタフェーススクリーンが、選別規則をそれぞれ「追加」、「修正」、「削除」、および「イネーブル」するために選別規則に関する「追加」コマンド、「修正」コマンド、「削除」コマンド、および「イネーブル」コマンドを送るようクライアントコンピュータ１４０にさせることが可能である。各選別規則は、各処方薬剤に関するおよび／または治療クラスに関する一般名および／またはブランド名などの薬剤名、外部識別子／薬剤識別子（ＩＤ）（すなわち、一般的ＩＤ、ブランドＩＤ、またはパッケージＩＤ）、強さの量、強さの単位、ボリューム量、ボリューム単位、剤形コード、剤形記述の１つまたは複数に基づくことが可能である。別の実施形態において、選別規則は、注入ポンプを介して薬剤を送達することを助けるのに使用されることが可能である構成情報に基づくことが可能である。この実施形態において、選別規則は、注入ポンプを介してそのような薬剤を送達することに関する一般名、ブランド名、規則セットタイプ、濃度、投薬単位、アラームに関するハード下限、ソフト下限、ソフト上限、および／またはハード上限に基づくことが可能である。それぞれが別個のステップであり得る、図４に示されるステップの第２のセット４４０において、クライアントコンピュータ１４０を使用する薬剤師／副次システム管理者、および少なくとも部分的に選別規則構成アプリケーション２４０によって生成された１つまたは複数のインタフェーススクリーンが、そのような規則が、ＰｈＩＳ２０４から受信された薬剤構成情報アイテムに適用されるべき順序をそれぞれが指定する選別規則に関する変更を送る、または順序コマンドを設定するようクライアントコンピュータ１４０にさせることが可能である。例えば、選別規則は、薬剤構成情報アイテムがＰｈＩＳ２０４から受信された際、或る選別規則が「最初に」適用されると指定されることが可能である。選別規則は、クライアントコンピュータ１４０を使用し、さらに選別規則構成アプリケーション２４０と対話する薬剤師／副次システム管理者によって構成されると、本明細書で説明されるとおり、インタフェースアプリケーション２３０によって使用されるように選別規則リポジトリ２７０の中に格納される。
【００４６】
一実施形態において、カリフォルニア州サンタモニカにもオフィスを有する、ニュージーランドのＯＲＩＯＮ  ＨＥＡＬＴＨによってＲＨＡＰＳＯＤＹという名の下で販売される統合エンジンソフトウェアアプリケーションが、一次システム１０２と副次システム１１０の間の対話機能を助けるのに使用されることが可能であり、さらに本明細書で説明される選別機能を実行するのを助けるのに使用されることも可能である。ＲＨＡＰＳＯＤＹソフトウェアアプリケーションについての情報は、ｗｗｗ．ｏｒｉｏｎｈｅａｌｔｈ．ｃｏｍ／ｒｈａｐｓｏｄｙ／ｉｎｄｅｘ．ｈｔｍで見ることができる。一実施形態では、ＲＨＡＰＳＯＤＹバージョン２．４．２（Ａｄｍｉｎｉｓｔｒａｔｏｒ２．４．３を伴う）が、使用されることが可能である。
【００４７】
図５を参照すると、トラップ内で薬剤構成情報の選別された変更を管理するプロセスの一実施形態が、流れ図形態で示されている。具体的には、図５は、クライアントコンピュータ１４０（そしてそのようなクライアントコンピュータ１４０を使用している薬剤師／副次システム管理者）とトラップ管理アプリケーション２５０の間の対話の一部を示している。第１のステップ５００で、クライアントコンピュータ１４０を使用する薬剤師／副次システム管理者、および少なくとも部分的にトラップ管理アプリケーション２５０によって生成された１つまたは複数のインタフェーススクリーンが、トラップ管理セッションを開始するために、トラップ管理アプリケーション２５０にアプリケーション開始コマンドを送るようクライアントコンピュータ１４０にさせることが可能である。第２のステップ５０２で、トラップ管理アプリケーション２５０が、少なくとも部分的にトラップ管理アプリケーション２５０によって生成されたインタフェーススクリーンを介してクライアントコンピュータ１４０に、トラップ２６０に最近、追加された（すなわち、前回のセッション以来、或る特定の日付以来、または或る特定の時間枠内で）薬剤構成情報アイテムのリストを送ること、または通信することによって、第１のステップ５００に応答することが可能である。このリストは、薬剤師／副次システム管理者が、本明細書で説明されるとおり、トラップ２６０の中にある薬剤構成情報アイテムを閲覧し、点検し、そのようなアイテムに対してアクションを行うことを可能にする。
【００４８】
第３のステップ５０４で、クライアントコンピュータ１４０を使用する薬剤師／副次システム管理者、および少なくとも部分的にトラップ管理アプリケーション２５０によって生成された１つまたは複数のインタフェーススクリーンが、クライアントコンピュータ１４０上でトラップ２６０の中にある薬剤構成情報アイテムを表示するために、トラップ管理アプリケーション２５０にトラップ済みアイテム表示コマンドを送るようクライアントコンピュータ１４０にさせることが可能である。第４のステップ５０６で、トラップ管理アプリケーション２５０が、少なくとも部分的にトラップ管理アプリケーション２５０によって生成されたインタフェーススクリーンを介してクライアントコンピュータ１４０に、トラップ２６０に追加された薬剤構成情報アイテムのリストを送ること、または通信することによって、第３のステップ５０４に応答することが可能である。この場合も、このリストは、薬剤師／副次システム管理者が、本明細書で説明されるとおり、トラップ２６０の中にある薬剤構成情報アイテムを閲覧し、点検し、そのようなアイテムに対してアクションを行うことを可能にする。これらの実施形態のいずれにおいても、クライアントコンピュータ１４０を使用する薬剤師／副次システム管理者は、いくつかの例だけを挙げると、任意の一般名もしくは外部ＩＤ、（任意の文字）で始まる一般名、または（任意の文字）で始まる外部ＩＤを使用して、薬剤構成情報アイテムが、保留中（ｐｅｎｄｉｎｇ）の薬剤、アクティブ（ａｃｔｉｖｅ）な薬剤、または保留中の薬剤とアクティブな薬剤の組み合わせごとに表示されるよう要求することができる。
【００４９】
薬剤構成情報アイテムのリストが、クライアントコンピュータ１４０上で示されると、第５のステップ５０８で、クライアントコンピュータ１４０を使用する薬剤師／副次システム管理者、および少なくとも部分的にトラップ管理アプリケーション２５０によって生成された１つまたは複数のインタフェーススクリーンが、クライアントコンピュータ１４０上でトラップ２６０の中にある薬剤構成情報アイテムを並べ替えるために、トラップ管理アプリケーション２５０にトラップ済みアイテム並べ替えコマンドを送るようクライアントコンピュータ１４０にさせることが可能である。一実施形態において、図６に示されるとおり、クライアントコンピュータ１４０を使用する薬剤師／副次システム管理者は、薬剤構成情報アイテムが格納され、さらに一般名、ブランド名、外部ＩＤ、強さ、ボリューム、剤形、受け取られた／更新された日付／時刻、またはアイテムステータスごとに、順に表示されるよう要求することができる。
【００５０】
第６のステップ５１０で、クライアントコンピュータ１４０を使用する薬剤師／副次システム管理者、および少なくとも部分的にトラップ管理アプリケーション２５０によって生成された１つまたは複数のインタフェーススクリーンが、クライアントコンピュータ１４０上でトラップ２６０の中にある任意の特定の薬剤構成情報アイテムについてのさらなる詳細を点検するために、トラップ管理アプリケーション２５０にアイテム点検コマンドを送るようクライアントコンピュータ１４０にさせることが可能である。第７のステップ５１２で、図７−図９に示されるとおり、トラップ管理アプリケーション２５０は、少なくとも部分的にトラップ管理アプリケーション２５０によって生成されたインタフェーススクリーンを介してクライアントコンピュータ１４０に、トラップ２６０に追加された、選択された薬剤構成情報アイテムに関する、より詳細な薬剤構成情報を送ること、または通信することによって、第６のステップ５１０に応答することができる。この詳細な情報は、薬剤師／副次システム管理者が、選択された薬剤構成情報アイテムを閲覧し、点検し、そのようなアイテムに対してアクションを行うことを可能にする。具体的には、第８のステップ５１４で、クライアントコンピュータ１４０を使用する薬剤師／副次システム管理者、および、例えば、図８に示され、少なくとも部分的にトラップ管理アプリケーション２５０によって生成された１つまたは複数のインタフェーススクリーンが、アイテムを拒否するため、およびアイテムがローカル処方２２０に組み込まれることを防止するために、トラップ管理アプリケーション２５０に「更新拒否」コマンド（選択された「更新」アイテムに関する）を送るようクライアントコンピュータ１４０にさせることが可能である。このため、第９のステップ５１６で、トラップ管理アプリケーション２５０は、ゴミ箱（トラップからそのアイテムを削除する）にアイテムを送る、または通信することによって、第８のステップ５１４に応答する。第１０のステップ５１８で、トラップ管理アプリケーション２５０は、行われるアクションのタイプ、およびアクションが行われた時刻と日付を含め、このアクションをログ記録すること、追跡すること／格納することによって、第８のステップ５１４に応答することも可能である。代替として、第１１のステップ５２０で、クライアントコンピュータ１４０を使用する薬剤師／副次システム管理者、および、例えば、図７−図９に示され、少なくとも部分的にトラップ管理アプリケーション２５０によって生成された１つまたは複数のインタフェーススクリーンが、アイテムを受け入れるため、およびアイテムがローカル処方２２０に組み込まれるようにするため、トラップ管理アプリケーション２５０に「受け入れ」コマンド（選択されたアイテムに関する）を送るようクライアントコンピュータ１４０にさせることが可能である。第１２のステップ５２２で、トラップ管理アプリケーション２５０が、アイテムのタイプ（それぞれ、「追加」アイテム、「削除」アイテム、または「更新」アイテム）に従って、ローカル処方２２０の中でアイテムを追加すること、削除すること、または修正することによって、第１１のステップ５２０に応答する。第１３のステップ５２４で、トラップ管理アプリケーション２５０は、行われたアクションのタイプ、およびアクションが行われた時刻と日付を含め、このアクションをログ記録すること、追跡すること／格納することによって、第１１のステップ５２０に応答することも可能である。
【００５１】
一実施形態において、新たな薬剤構成情報アイテムが、ＰｈＩＳ１０４、２０４などの一次システムから受信され、さらにこの新たな薬剤構成情報アイテムが、選別規則２７０のいずれによっても選別されて除かれず、さらにトラップ２６０が、その薬剤に関して既存の薬剤構成情報アイテムを既に含んでいる場合、インタフェースアプリケーション２３０は、トラップ２６０内でその既存の薬剤構成情報アイテムに、この新たな薬剤構成情報アイテムを上書きするように構成されることが可能である。さらに、副次システム２１０、およびシステム２１０内のアプリケーションは、すべての選別規則、およびそれらの規則の変更、受け取られたすべての薬剤構成情報アイテムおよびトラップ２６０からの除外、受け取られたすべての薬剤構成情報アイテムおよびトラップ２６０への取り込み、トラップされた薬剤構成情報アイテムの管理の一環として行われたすべてのアクション、ならびにトラップから、ローカル処方２２０などのローカルリポジトリへの薬剤構成情報アイテムのすべての伝送の「監査証跡」を追跡し、格納するように構成される。この監査証跡は、様々な比較を実行するのに使用されることが可能であり、さらに副次システム２１０内のアプリケーションの１つまたは複数が、そのような比較を実行するのに使用されることが可能である。例えば、副次システム２１０内のアプリケーションの１つまたは複数が、一次システム１０２から受信された薬剤構成情報アイテム内の実際の示唆される変更を、ローカル処方２２０などのローカルリポジトリ内で使用されることになる薬剤構成情報アイテムと比較するように構成されることが可能である。１つの特定の例において、薬剤師／副次システム管理者は、トラップされた薬剤構成情報アイテムに編集を行うことができ、さらにこれらの編集は、ローカル処方２２０などのローカルリポジトリ内で実際に使用されることになる薬剤構成情報アイテムを修正する。副次システム２１０内のアプリケーションの１つまたは複数は、そのような変更が行われたかどうか、変更された各薬剤構成情報アイテム内の薬剤構成情報のタイプ、多くの比較のなかでもとりわけ、ローカル処方２２０などのローカルリポジトリに伝送された薬剤構成情報アイテムの全体数と比べて、そのような変更がどれだけの頻度で行われているかを特定するように構成されることが可能である。参照により全体が本明細書に組み込まれている「ＳＹＳＴＥＭ  ＡＮＤ  ＭＥＴＨＯＤ  ＦＯＲ  ＣＯＭＰＡＲＩＮＧ  ＡＮＤ  ＵＴＬＩＺＩＮＧ  ＡＣＴＩＶＩＴＹ  ＩＮＦＯＲＭＡＴＩＯＮ  ＡＮＤ  ＣＯＮＦＩＧＵＲＡＴＩＯＮ  ＩＮＦＯＲＭＡＴＩＯＮ  ＦＲＯＭ  ＭＵＬＴＩＰＬＥ  ＭＥＤＩＣＡＬ  ＤＥＶＩＣＥ  ＭＡＮＡＧＥＭＥＮＴ  ＳＹＳＴＥＭＳ」という名称の整理番号７１８７ＵＳＯ１の下で２００７年１０月１６日に出願された米国特許出願第１１／８７３，２６９号を参照して、本明細書に鑑みて、他の多くの比較、およびそのような比較に関する情報をもたらすレポートが、想起される。
【００５２】
図６を参照すると、保留中薬剤インタフェーススクリーン６００が、トラップ２６０によって受け取られているが、薬剤師／副次システム管理者によってまだ対処が行われていない薬剤構成情報アイテム６０２を示す。前述したとおり、保留中薬剤インタフェーススクリーン６００は、クライアントコンピュータ１４０を使用する薬剤師／副次システム管理者が、一般名、ブランド名、外部ＩＤ、強さ、ボリューム、剤形、受け取られた／更新された日付／時刻、またはアイテムステータスごとに薬剤構成情報アイテム６０２を表示し、並べ替えることを可能にする。一実施形態では、図６に示される列の見出しをクリックすることにより、その列におけるアイテム６０２についての情報に従って、保留中薬剤インタフェーススクリーン６００におけるアイテム６０２の並べ替えが再び行われる。また、トラップ管理アプリケーション２５０は、特定の意味を有する異なる色で薬剤構成情報アイテム６０２を表示するように、保留中薬剤インタフェーススクリーン６００に関して構成されることも可能である。一実施形態では、トラップ管理アプリケーション２５０は、「アクティブな」薬剤構成情報アイテム６０２を黒で、「追加保留中の」薬剤構成情報アイテム６０２を青で、「更新保留中の」薬剤構成情報アイテム６０２を緑で、さらに「削除保留中の」薬剤構成情報アイテム６０２を赤で表示するように構成されることが可能である。「表示する」ドロップダウンメニュー６１０が、保留中の薬剤、アクティブな薬剤、および保留中の薬剤とアクティブな薬剤のいずれかを表示して、選択するのに使用されることが可能である。「有する」ドロップダウンメニュー６２０が、任意の一般名または外部ＩＤ、（任意の文字）で始まる一般名、および（任意の文字）で始まる外部ＩＤのいずれかを表示し、選択するのに使用されることが可能である。「表示する」メニューおよび「有する」メニューのそれぞれから選択が行われると、リフレッシュボタン６３０が、スクリーンをリフレッシュして、組み合わされた選択に入るアイテム６０２を示すのに使用されることが可能である。アイテム６０２は、保留中薬剤インタフェーススクリーン６００にインポートされること、およびスクリーン６００からエクスポートされることも可能である。任意の１つのアイテム６０２についてのさらなる詳細を見るため、薬剤師／副次システム管理者は、保留中薬剤インタフェーススクリーン６００内からアイテム６０２を選択する、つまり、「ダブルクリックする」ことができる。
【００５３】
図７を参照すると、保留中追加インタフェーススクリーン７００が、保留中薬剤インタフェーススクリーン６００からの選択された「追加」アイテム６０２についてのさらなる詳細を示す。一般名、ブランド名、外部ＩＤ、ＮＤＣ、強さ、ボリューム、治療クラス、治療コード、および治療説明、剤形、剤形コード、投薬説明、アイテム６０２のステータス、アイテム６０２のソース、アイテムがいつ受け取られたか、および編集情報などの、アイテム６０２についての様々な特定の情報が、示される。薬剤師／副次システム管理者が、ローカル処方２２０にアイテム６０２を追加し、伝送し、組み込むことを選択するように、「追加」ボタン７０２が、提供される。薬剤師／副次システム管理者が、アイテム６０２を拒否し、アイテム６０２がローカル処方２２０に追加される、または伝送されることを防止することを選択するように、「拒否」ボタン７０４が、提供される。
【００５４】
図８を参照すると、保留中更新インタフェーススクリーン８００が、保留中薬剤インタフェーススクリーン６００からの選択された「更新」アイテム６０２についてのさらなる詳細を示す。この場合も、一般名、ブランド名、外部ＩＤ、ＮＤＣ、強さ、ボリューム、治療クラス、治療コード、および治療説明、剤形、剤形コード、投薬説明、アイテム６０２のステータス、アイテム６０２のソース、アイテムがいつ受け取られたか、および編集情報などの、アイテム６０２についての様々な特定の情報が、示される。アクションは、既存のアイテムを「更新する」ことであるので、保留中更新インタフェーススクリーン８００の右側は、比較のため、ローカル処方２２０内のそのアイテムに関する既存の情報も示す。薬剤師／副次システム管理者が、ローカル処方２２０に対してアイテム６０２に関する更新情報を更新し、伝送し、組み込むことを選択するように、「更新」ボタン８０２が、提供される。薬剤師／副次システム管理者が、「更新」アイテム６０２を拒否し、アイテム６０２がローカル処方２２０を修正するのに使用されることを防止することを選択するように、「拒否」ボタン８０４が、提供される。
【００５５】
図９を参照すると、保留中削除インタフェーススクリーン９００が、保留中薬剤インタフェーススクリーン６００からの選択された「削除」アイテム６０２についてのさらなる詳細を示す。この場合も、一般名、ブランド名、外部ＩＤ、ＮＤＣ、強さ、ボリューム、治療クラス、治療コード、および治療説明、剤形、剤形コード、投薬説明、アイテム６０２のステータス、アイテム６０２のソース、アイテムがいつ受け取られたか、および編集情報などの、アイテム６０２についての様々な特定の情報が、示される。薬剤師／副次システム管理者が、ローカル処方２２０からアイテム６０２を削除し、除去することを選択するように、「削除」ボタン９０２が、提供される。薬剤師／副次システム管理者が、「削除」アイテム６０２要求を拒否して、ローカル処方２２０において削除アクションが実施されることを防止することを選択するように、「拒否」ボタン９０４が、提供される。一実施形態では、薬剤師／副次システム管理者ログイン情報のユーザレベルおよびセキュリティレベルは、所定のセキュリティレベルを有する数名の薬剤師／副次システム管理者だけに、保留中薬剤インタフェーススクリーン６００内の薬剤構成情報アイテムのいくつかのタイプを見ることを許し、さらに／または薬剤構成情報アイテム６０２のいくつかの所定のタイプに対して、いくつかの所定のアクションのみを実行することを許すように実施されることが可能である。
【００５６】
少なくとも保留中追加インタフェーススクリーン７００、および保留中更新インタフェーススクリーン８００のそれぞれにおいて、実施が提案されている各薬剤構成情報アイテムの詳細、およびそのような詳細に関するフィールドの多くが、クライアントコンピュータ１４０を使用して薬剤師／副次システム管理者によって編集され、さらに／または修正されることが可能である。例えば、図７の保留中追加インタフェーススクリーン７００に示される薬剤構成情報アイテムに関して、薬剤師／副次システム管理者は、少なくとも一般名、ブランド名、外部ＩＤ、強さの量および強さの単位、ボリューム量およびボリューム単位、選択された治療クラスコードおよび治療クラス説明、ならびに選択された剤形コードおよび剤形説明を修正する能力を与えられる。この例の範囲内で、ＮＤＣは、修正可能ではない。このようにして、薬剤師／副次システム管理者は、薬剤師／副次システム管理者の医療機関の選好を実施することに相当な柔軟性を与えられる。
【００５７】
保留中追加インタフェーススクリーン７００、保留中更新インタフェーススクリーン８００、および保留中インタフェーススクリーン９００のそれぞれにおいて、クライアントコンピュータ１４０を使用する薬剤師／副次システム管理者は、実施が提案されている薬剤構成情報アイテムを受け入れ、それぞれ、「追加」ボタン７０２、「更新」ボタン８０２、または「削除」ボタン９０２を押して、そのまま、または薬剤師／副次システム管理者によって修正されるとおり、アイテムを受け入れることができる。薬剤師／副次システム管理者が、「追加」ボタン７０２、「更新」ボタン８０２、または「削除」ボタン９０２のいずれかを押すと、それぞれ保留中追加インタフェーススクリーン７００、保留中更新インタフェーススクリーン８００、および保留中インタフェーススクリーン９００の中、ならびにトラップ２６０内のそれぞれのアイテムに関するステータスが、「保留中」から「アクティブ」に変化する。また、クライアントコンピュータ１４０を使用する薬剤師／副次システム管理者が、薬剤構成情報アイテムに何らかの修正を行った際に、トラップ管理が、このステータスを「保留中」から「アクティブ」に変化させるように構成されることも可能である。
【００５８】
別の実施形態では、薬剤師／副次システム管理者が、クライアントコンピュータ１４０、および本明細書で説明されるそれぞれのインタフェーススクリーンを介して、トラップ２６０内の薬剤構成情報アイテムを手作業で管理する代わりに、トラップ管理アプリケーション２５０が、特定の所定の受け入れ基準、拒否基準、および／または修正基準を使用して、トラップ２６０内に受け取られる各薬剤構成情報アイテムを自動的に受け入れる、拒否する、さらに／または修正するように構成されることが可能である。これらの基準は、或る範囲の、または或る特定の数、文字、コード、あるいは薬剤構成情報アイテムのそれぞれについての詳細の１つまたは複数を使用する他の基準であることが可能である。代替として、副次システム２７０は、トラップ管理アプリケーション２５０を有さなくてもよく、さらなる、または異なる選別規則の自動的実施が、実行されることも可能である。
【００５９】
図１１を参照すると、フィルタ規則構成インタフェーススクリーン１１００が、示されている。この選別規則構成スクリーン１１００は、図６に示される保留中薬剤インタフェーススクリーン６００内の「選好」ボタン６４０を押すことによって立ち上げられる。薬剤師／副次システム管理者は、クライアントコンピュータ１４０を使用して、少なくとも選別規則構成インタフェーススクリーン１１００にアクセスするのに、副次システム１１０内に所定の必要なユーザレベルを有さなければならない。選別規則構成インタフェーススクリーンは、選別規則構成アプリケーション２４０によって生成され、クライアントコンピュータ１４０を使用する薬剤師／副次システム管理者が、実施されている現在の選別規則を点検し、新たな規則を追加し、既存の規則を削除し、さらに選別プロセス中にインタフェースアプリケーション２３０によって使用されるように含められる、または含められないものとして既存の規則にマークを付けることを許す。図１１の選別規則構成インタフェーススクリーン１１００内に示される実施形態において、「剤形」選別規則および「外部ＩＤ」選別規則が、薬剤構成情報を選別するように薬剤師／副次システム管理者によって追加され、実施されることが可能である。しかし、少なくとも図６−図９に提示されるとおり、各薬剤構成情報の他の詳細などの、本明細書に基づいて、他の選別規則も容易に想起される。
【００６０】
図１１の実施形態において、薬剤師／副次システム管理者が、或る剤形選別規則を追加することを所望する場合、選別規則構成インタフェーススクリーン１１００は、それを行う「追加」ボタン１１０４を提供する。薬剤師／副次システム管理者が、クライアントコンピュータ１４０を使用して追加ボタン１１０４を押すと、図１２に示される剤形選別規則追加インタフェーススクリーン１２００が、選別規則アプリケーション２４０内で、クライアントコンピュータ１４０のディスプレイ上で生成される。剤形選別規則追加インタフェーススクリーン１２００は、コードフィールド１２０２、説明フィールド１２０４、および「含める」はい−いいえ選択１２０６を含む。コードフィールド１２０２は、薬剤師／副次システム管理者が、剤形コードを入力することを可能にする。説明フィールド１２０４は、薬剤師／副次システム管理者が、剤形説明を入力することを可能にする。「含める」はい−いいえ選択１２０６は、薬剤師／副次システム管理者が、「はい」または「いいえ」を選択して、そのような剤形選別規則を、インタフェースアプリケーション２３０による選別の際に使用されるように含める、または含めないことをそれぞれ可能にする。薬剤師／副次システム管理者が、この情報を入力／選択すると、図１１内の選別規則構成インタフェーススクリーン１１００に示されるとおり、薬剤師／副次システム管理者が、このボタンをクリックして、入力された剤形フィルタを剤形フィルタ１１０６に追加することを可能にする「追加」ボタン１２０８が、提供される。
【００６１】
同様に、図１１の実施形態において、薬剤師／副次システム管理者が、外部ＩＤ選別規則を追加することを所望する場合、選別規則構成インタフェーススクリーン１１００は、それを行うため別の「追加」ボタン１１０８を提供する。薬剤師／副次システム管理者が、クライアントコンピュータ１４０を使用して追加ボタン１１０８を押すと、図１３に示される外部ＩＤ選別規則追加インタフェーススクリーン１３００が、選別規則アプリケーション２４０内で、クライアントコンピュータ１４０のディスプレイ上で生成される。外部ＩＤ選別規則追加インタフェーススクリーン１３００は、外部ＩＤフィールド１３０２と、「含める」はい−いいえ選択１３０４とを含む。外部ＩＤフィールド１３０２は、薬剤師／副次システム管理者が、外部識別子または外部ＩＤを入力することを可能にする。「含める」はい−いいえ選択１３０４は、薬剤師／副次システム管理者が、「はい」または「いいえ」を選択して、そのような外部ＩＤ選別規則を、インタフェースアプリケーション２３０による選別の際に使用されるように含める、または含めないことをそれぞれ可能にする。薬剤師／副次システム管理者が、この情報を入力／選択すると、図１１内の選別規則構成インタフェーススクリーン１１００に示されるとおり、薬剤師／副次システム管理者が、このボタンをクリックして、入力された外部ＩＤフィルタを外部ＩＤフィルタ１１１０に追加することを可能にする「追加」ボタン１３０６が、提供される。
【００６２】
このため、図１２および図１３に示されるインタフェーススクリーンなどのインタフェーススクリーンを使用して、薬剤師／副次システム管理者は、新たな選別規則を選別規則リポジトリ２７０に追加することができる。さらに、図１１に示される実施形態において、選別規則構成インタフェーススクリーン１１００は、それまでに追加されている剤形選別規則および外部ＩＤ選別規則をそれぞれ編集するための剤形編集ボタン１１１２および外部ＩＤ編集ボタン１１１４を提供する。このことは、薬剤師／副次システム管理者が、剤形フィルタ１１０６または外部ＩＤフィルタ１１１０から剤形選別規則または外部ＩＤ選別規則を選択し、次に、それぞれの編集ボタン１１１２、１１１４をクリックして、選択された選別規則を編集することを可能にする。同様に、図１１に示される実施形態において、選別規則構成インタフェーススクリーン１１００が、それまでに追加されている剤形選別規則および外部ＩＤ選別規則をそれぞれ、同様の形式で削除するための剤形削除ボタン１１１６および外部ＩＤ削除ボタン１１１８を提供する。これらの選別規則にすべての編集が行われると、選別規則構成インタフェーススクリーン１１００は、一次薬剤構成情報システムから受け取られた薬剤構成情報を選別する際にインタフェースアプリケーション２３０によって使用されるように、そのセッション中に行われた追加、編集、および削除を選別規則リポジトリ２７０に保存する保存ボタン１１２０を提供する。
【００６３】
また、選別規則構成インタフェーススクリーン１１１０はレセプトチェックオフボックス１１０２も有し、薬剤師／副次システム管理者が、図１０に示されるレセプト１０００のようなレセプトが、ローカル処方２２０などのローカルリポジトリにアイテム６０２が追加される、削除される、または更新される、あるいは追加される、削除される、または更新されることに関して識別されるたびに、印刷されるようにすることを選択することを可能にする。図１０における例は、薬剤構成情報アイテムの最初の定義１００２、および薬剤構成情報アイテムの最終的な定義１００４を含む、薬剤構成情報アイテムの「更新」を示す。
【００６４】
一実施形態において、薬剤師／副次システム管理者ログイン情報のユーザレベルおよびセキュリティレベルは、特定の所定のセキュリティレベルを有する数名の薬剤師／副次システム管理者だけに、選別規則構成インタフェーススクリーン１１００およびその中にある選別規則にアクセスすることを許し、さらに／または特定の所定のセキュリティレベルを有する数名の薬剤師／副次システム管理者だけに、いくつかのタイプの選別規則にアクセスし、それらの規則を追加／変更／削除することを許すように実施されることが可能である。
【００６５】
本発明の１つの例示的な実施形態では、或る特定のメッセージングフォーマットが、ＰｈＩＳ１０４、２０４から副次システムコンピュータ１３０、およびコンピュータ１３０内のインタフェースアプリケーション２３０に薬剤構成情報を送信するために使用される。具体的には、以下のテーブルが、インタフェースアプリケーション２３０によって受け取られる、それぞれのＨＬ７フォーマットの情報を与える。ＸＭＬなどの他のいくつかのデータメッセージフォーマットが、使用されることも可能であることを理解されたい。ＨＬ７データフォーマットは、メッセージをセグメントに分割する。処方保守トランザクション（ＦＭＴ）メッセージ構造と名付けられた、薬剤構成情報メッセージの一実施形態の構造は、後段のテーブルを参照して、よりよく理解されるとおり、ＭＳＨ．．．ＭＦ１．．．ＭＦＥ．．．ＺＦＭを含む。
【００６６】
このメッセージのＭＳＨセグメントは、以下のとおり、送信側システム、つまり、メッセージを送信しているシステム、受信側システム、つまり、メッセージを受信しているシステム、メッセージタイプ、タイムスタンプ、および符号化フォーマットを識別する標準のヘッダ情報である。すなわち、
【表１】
2011504265.tif 000003
【００６７】
メッセージのＭＦＩセグメントは、以下のとおり、本明細書で使用される場合、外部識別子（ＩＤ）に対応する。すなわち、
【表２】
2011504265.tif 000004
【００６８】
メッセージのＭＦＥセグメントは、薬剤構成情報更新を使って何をするかを識別する。この特定の送信プロセス実施形態または送信方法実施形態のフォーマットは、追加／更新アイテムおよび削除アイテムだけしか識別することができない。このフォーマットは、追加と更新を区別しない。他の実施形態も可能である。以下は、この特定のセグメントのフォーマットを与える。すなわち、
【表３】
2011504265.tif 000005
【００６９】
メッセージのＺＦＭセグメントは、薬剤構成情報についてのすべての詳細を指定する。インタフェースアプリケーション２３０は、この情報を外部ＩＤと一緒に使用して、選別規則２７０を使用する選別を実行する。
【表４】
2011504265.tif 000006
【００７０】
以下に、ＳＯＢ（０１１）およびＥＯＢ（０２８）、＜ＣＲ＞（ＴＣＰ／ＩＰプロトコル）でフレーム処理されたＨＬ７処方保守トランザクション（ＦＭＴ）メッセージの一例を与える。すなわち、
【数１】
2011504265.tif 000007
【００７１】
以下のテーブルは、着信するメッセージが、選別プロセス内で、追加、更新、または削除をもたらすべきかどうか、または着信するメッセージが、完全に拒否されるべきかどうかを判定するインタフェースアプリケーション２３０の一実施形態を示す。例えば、第１の列は、以下を表す。すなわち、副次システムデータベースまたはローカル処方２２０の中に対応する処方アイテムが全く存在せず、さらに着信するメッセージが、「追加」を告げる場合、何もさらに比較する必要はなく、処方アイテムは、「保留中の追加」として「トラップ」２６０に挿入される。別の例として、第４の列は、以下を表す。すなわち、トラップ２６０の中に、両方のＩＤフィールド（例えば、ＩＤおよび名前）を使用して、新たなメッセージに対応する保留中の追加が既に存在し、さらにその新たなメッセージが、「追加」メッセージである場合、その新たなメッセージは、拒否される（すなわち、無視される）。
【表５】
2011504265.tif 000008
【００７２】
一実施形態において、ＰｈＩＳ１０４、２０４などの一次薬剤構成コンピュータ１０４、およびコンピュータ１０４内のアプリケーション２０４は、一次薬剤構成コンピュータ１０４、およびコンピュータ１０４内のアプリケーション２０４から薬剤構成変更情報を受信すべき様々な副次システム１１０のすべてについてのＩＤ、および他の特定の情報を追跡し、格納するように構成されることが可能である。そのような副次システム識別情報は、当業者に理解されるとおり、そのような薬剤構成変更情報を副次薬剤構成コンピュータ１３０に送信するのに必要なＴＣＰ／ＩＰアドレス、プロトコルフォーマット、施設名、およびその他のデータを含むことが可能である。このため、一次薬剤構成コンピュータ１０４およびアプリケーション２０４が、コンテンツプロバイダ２０８などの他のシステムから薬剤構成変更情報を受信すると、またはそのような情報が、手作業で入力されると、一次薬剤構成コンピュータ１０４およびアプリケーション２０４は、いずれの副次薬剤構成コンピュータ（複数可）に、そのような薬剤構成変更情報を送信すべきかを知り、送信するのに必要な副次薬剤構成コンピュータ１３０についてのデータを得る。
【００７３】
関連するさらなる実施形態において、ＰｈＩＳ１０４、２０４などの一次薬剤構成コンピュータ１０４、およびコンピュータ１０４内のアプリケーション２０４は、副次システム１１０および副次薬剤構成コンピュータ１３０につての前述した追跡される格納された情報を利用し、さらに異なる副次システム１１０を区別して、１つまたは複数の副次システム１１０に或る薬剤構成変更情報だけを送信することができ、さらに他の１つまたは複数の副次システム１１０に他の或る薬剤構成変更情報だけを送信することができるように構成されることが可能である。ＰｈＩＳ１０４、２０４などの一次薬剤構成コンピュータ１０４、およびコンピュータ１０４内のアプリケーション２０４において、コンピュータ１０４およびアプリケーション２０４によって実行される、この判定は、一般名、ブランド名、外部識別子、強さの量、強さの単位、ボリューム量、ボリューム単位、剤形コード、剤形説明、規則セットタイプ、濃度、投薬単位、ハード下限、ソフト下限、ソフト上限、ハード上限などの、様々な所定の基準に基づくことが可能である。
【００７４】
本発明の前述した実施形態は、実施の例であり、本発明の原理の明確な理解のために示されるに過ぎないことが強調されなければならない。本発明の原理を実質的に逸脱することなく、本発明の前述の実施形態に多くの変更および変形が、行われることが可能である。すべてのそのような変形が、本開示の範囲内で、添付の特許請求の範囲によって本明細書に含まれるものとされる。
【図１】
2011504265.tif 000009
【図２】
2011504265.tif 000010
【図３】
2011504265.tif 000011
【図４】
2011504265.tif 000012
【図５】
2011504265.tif 000013
【図６】
2011504265.tif 000014
【図７】
2011504265.tif 000015
【図８】
2011504265.tif 000016
【図９】
2011504265.tif 000017
【図１０】
2011504265.tif 000018
【図１１】
2011504265.tif 000019
【図１２】
2011504265.tif 000020
【図１３】
2011504265.tif 000021
【国際調査報告】
2011504265.tif 000022